(57)【要約】【課題】紙葉類を綴じる綴じ具の表紙体に対するがたつき、またはぐらつきを抑制する。【解決手段】表紙体１に紙葉類を綴じ止めるための綴じ具２が取り付けられたファイルであって、前記綴じ具１が、ベース部２１と、前記ベース部２１に対向する押さえ部２３と、前記ベース部２１と前記押さえ部２３との間で両者が対向する方向に伸長する綴じ桿２５と、前記押さえ部２３に一体に成形され前記ベース部２１と前記押さえ部２３とを対向させた状態で前記ベース部２１とともに前記表紙体１を挟み付ける保持部２２１とを備えているファイルを構成した。【選択図】図７
2019034495.tif 000002
【特許請求の範囲】
【請求項１】
表紙体に紙葉類を綴じ止めるための綴じ具が取り付けられたファイルであって、
前記綴じ具が、ベース部と、前記ベース部に対向する押さえ部と、前記ベース部と前記押さえ部との間で両者が対向する方向に伸長する綴じ桿と、前記押さえ部に一体に成形され前記ベース部と前記押さえ部とを対向させた状態で前記ベース部とともに前記表紙体を挟み付ける保持部とを備えているファイル。
【請求項２】
前記保持部が、前記表紙体の側縁の略全長に亘って伸びている請求項１記載のファイル。
【請求項３】
前記押さえ部及び前記保持部が、ヒンジを介して前記ベース部に対し相対的に回動可能に連結しており、
前記保持部が、前記ヒンジに近接した箇所に存在して前記ベース部とともに前記表紙体を挟み付ける請求項１または２記載のファイル。
【発明の詳細な説明】
【技術分野】
【０００１】
本発明は、表紙体に紙葉類を綴じ止めるための綴じ具を取り付けてなるファイルに関する。
【背景技術】
【０００２】
複数枚の紙葉類を綴じておくことのできるファイルの一種として、下記特許文献に開示されているような、比較的薄型のファイルが公知である。このファイルにおける綴じ具（綴じ部材５）は、ベース部（取付板１１）と、ベース部に対して相対的に回動可能であるようにヒンジを介して連結された押さえ部（押さえ板８）と、ベース部と押さえ部との間にあってそれら双方に連接する綴じ桿（綴じ体１０）とを備える。綴じ桿は、ベース部から突出する棒状体（雌雄体１０ａ）と、押さえ部から突出する筒状体（雌雄体１０ｂ）との組からなり、押さえ部をベース部に対向させる過程で棒状体の先端部が筒状体に挿入されて両者が嵌合する。
【０００３】
また、このファイルの表紙体（収納体１）の中央部位には、当該表紙体を貫通する窓（操作孔４）が開設されている。綴じ具の押さえ部は、この窓を通じて裏表紙の外表面側に回り込み、当該裏表紙の外表面に接合する。具体的には、押さえ部の周縁部に係止爪（１１ａ）が形成され、裏表紙の内側縁部に貫通した係止孔（１１ｂ）が形成されており、前者の係止爪を後者の係止孔に挿入して係止することで、押さえ部を裏表紙に装着している。
【０００４】
上述のファイルにあって、その綴じ具を使用して紙葉類を綴じる際には、予め紙葉類に穿ってある綴じ孔にベース部の棒状体を挿通するようにして紙葉類を配置し、その後押さえ部を回動操作してベース部に対向する姿勢とし、かつ筒状体に棒状体の先端部を圧入する。結果、ベース部と押さえ部との間に紙葉類が綴じ止められる。
【０００５】
しかしながら、綴じ具に紙葉類を綴じた状態で、綴じ具の押さえ部と表紙体の裏表紙とは密接しておらず、押さえ部と裏表紙との間には空隙が存在している。これにより、綴じ具が表紙体に対してがたつく、またはぐらつく懸念があった。
【先行技術文献】
【特許文献】
【０００６】
【特許文献１】実用新案登録第３１５０８９７号公報
【発明の概要】
【発明が解決しようとする課題】
【０００７】
本発明は、紙葉類を綴じる綴じ具の表紙体に対するがたつき、またはぐらつきを抑制することを所期の目的としている。
【課題を解決するための手段】
【０００８】
本発明では、表紙体に紙葉類を綴じ止めるための綴じ具が取り付けられたファイルであって、前記綴じ具が、ベース部と、前記ベース部に対向する押さえ部と、前記ベース部と前記押さえ部との間で両者が対向する方向に伸長する綴じ桿と、前記押さえ部に一体に成形され前記ベース部と前記部とを対向させた状態で前記ベース部とともに前記表紙体を挟み付ける保持部とを備えているファイルを構成した。
【０００９】
前記保持部が、前記表紙体の側縁の略全長に亘って伸びていれば、綴じ具の保持部及びベース部が表紙体を広範囲で挟み保持することができる。
【００１０】
前記押さえ部及び前記保持部が、ヒンジを介して前記ベース部に対し相対的に回動可能に連結している場合には、ベース部とともに前記表紙体を挟み付ける保持部を、前記ヒンジに近接した箇所に設けることが好ましい。
【発明の効果】
【００１１】
本発明によれば、紙葉類を綴じる綴じ具の表紙体に対するがたつき、またはぐらつきを抑制できる。
【図面の簡単な説明】
【００１２】
【図１】本発明の一実施形態のファイルを開いた状態を示す斜視図。
【図２】同実施形態のファイルを閉じた状態を示す斜視図。
【図３】同実施形態のファイルを開いた状態を示す平面図。
【図４】同実施形態のファイルの表紙体の平面図。
【図５】同実施形態のファイルの綴じ具の斜視図。
【図６】同実施形態のファイルの綴じ具の平面図。
【図７】同実施形態のファイルを閉じた状態を示す断面図。
【図８】同実施形態のファイルを開いた状態を示す断面図。
【図９】同実施形態のファイル及び綴じ具を開いた状態を示す断面図。
【発明を実施するための形態】
【００１３】
本発明の一実施形態を、図面を参照して説明する。図１ないし図３、図７ないし図９に示すように、本実施形態のファイルは、表表紙１１、背表紙１２及び裏表紙１３を有する表紙体１に、書類その他の紙葉類を収納することのできる複数のポケット３、並びに紙葉類を綴じ止めることのできる綴じ具２を取り付けてなるものである。
【００１４】
図４に示すように、表紙体１は、例えば樹脂製の一体成形品であり、全体として略方形状をなす板状体である。表表紙１１と背表紙１２との間、背表紙１２と裏表紙１３との間には、それぞれヒンジ１４を設けている。ヒンジ１４は、表紙高さ方向、即ちファイルを立てたときの表表紙１１、背表紙１２及び裏表紙１３の上下方向に沿って延伸する凹溝である。表紙体１における、ヒンジ１４が存在する部分の厚みは、それ以外の部分（表表紙１１、背表紙１２及び裏表紙１３）の厚みよりも薄肉となる。このヒンジ１４により、表表紙１１及び裏表紙１３はそれぞれ、背表紙１２に対して、表紙高さ方向に沿って伸びる軸回りに回動することが可能となる。表表紙１１と背表紙１２との間に介在するヒンジ１４と、背表紙１２と裏表紙１３との間に介在するヒンジ１４とは、互いに略平行である。
【００１５】
表紙体１における、背表紙１２と裏表紙１３との間に介在するヒンジ１４に跨る箇所、または当該ヒンジ１４に隣接する箇所には、綴じ具２を通過させるための貫通孔１５を形成している。貫通孔１５は、表紙体１の表紙高さ方向の中間部にあって、裏表紙１３側のヒンジ１４に対して略平行に伸びる、手指を挿入し得ない程度の（幅が４ｍｍないし５ｍｍの）幅狭なスリット状をなす。本実施形態では、このスリット１５の大部分が背表紙１２における裏表紙１３に隣接する部位に所在し、極僅かながらヒンジ１４を越えて裏表紙１３まで拡張している。
【００１６】
加えて、表紙体１の裏表紙１３の内側縁部には、綴じ具２のベース部２１から突出する筒状部２５１を挿通するための挿通孔１６を穿ってある。後述するように、筒状部２５１は、綴じ具２の押さえ部２３から突出する軸部２５２とともに、紙葉類を綴じ止めるための綴じ桿２５を構成する。
【００１７】
背表紙１２と裏表紙１３との間に介在するヒンジ１４の溝の形状及び深さは全体的に略均一であり、表紙体１における当該ヒンジ１４が存在する部位の厚みは同ヒンジ１４の溝の全長に亘って略均等である。
【００１８】
これに対し、表表紙１１と背表紙１２との間に介在するヒンジ１４の溝の形状は全体的に略均一ではなく、表紙体１における当該ヒンジ１４が存在する部位の厚みは同ヒンジ１４の溝の全長に亘って略均等ではない。本実施形態では、表表紙１１と背表紙１２との間に介在するヒンジ１４の一部に、表紙体１の厚みをより薄くする薄肉部１４１を設けている。言うまでもなく、表紙体１の厚みをより薄くすることは、表紙体１（のヒンジ１４）の曲げ剛性をより低下させることを意味する。なお、同ヒンジ１４における薄肉部１４１以外の部分の溝の形状及び深さは、背表紙１２と裏表紙１３との間に介在するヒンジ１４の溝の形状及び深さに略等しい。
【００１９】
薄肉部１４１は、例えば、表紙体１の表裏即ち外表面側及び内向面側の双方に凹溝を形成することにより実現する。ヒンジ１４の薄肉部１４１以外の部分の凹溝は、表紙体１の内向面側にのみ、または外表面側にのみ形成する。あるいは、ヒンジ１４の薄肉部１４１の溝の深さを、薄肉部１４１以外の部分の溝の深さよりも深くしても構わない。
【００２０】
本実施形態では、ちょうど上記の貫通孔１５に相対するように、表表紙１１側のヒンジ１４の表紙高さ方向の中間部を薄肉部１４１としている。貫通孔１５の一端（表紙高さ方向に沿った上端）と薄肉部１４１の一端（上端）とを結ぶ線分は、ヒンジ１４の延伸方向である表紙高さ方向に対して略直交する。同様に、貫通孔１５の他端（表紙高さ方向に沿った下端）と薄肉部１４１の他端（下端）とを結ぶ線分もまた、表紙高さ方向に対して略直交する。そして、薄肉部１４１の表紙高さ方向に沿った寸法は、貫通孔１５の表紙高さ方向に沿った寸法に略合致している。
【００２１】
ポケット３は、例えば透明または透光性を有した薄い樹脂フィルムを袋状に成形した、いわゆるクリアポケットであり、その内に一枚または複数枚の紙葉類を挿入することができる。各ポケット３の内側端は、背表紙１２における表表紙１１寄りの領域に、溶着等により固着している。
【００２２】
図５ないし図９に示すように、綴じ具２は、例えば樹脂製の一体成形品であり、ベース部２１と、ベース部２１に対向する押さえ部２３と、ベース部２１の内側端と押さえ部２３の内側端とを連結する背部２２と、ベース部２１と押さえ部２３との間で両者が対向する方向に伸長する綴じ桿２５とを備えている。
【００２３】
ベース部２１は、表紙高さ方向に拡張し、かつ表紙幅方向即ち裏表紙１３の左右方向にも展伸した薄板状をなす。このベース部２１は、表紙体１の裏表紙１３の外表面（表表紙１１と向かい合う内向面とは反対側の面）に接合する部位である。つまり、図２、図７ないし図９に示しているように、本実施形態のファイルにあっては、綴じ具２のベース部２１が表紙体１の外側に表出する。ベース部２１は、裏表紙１３に対して、接着または溶着等により固着する。ベース部２１における、裏表紙１３に接合する側の面からは、綴じ桿２５の要素となる筒状部２５１が突出している。筒状部２５１は、ベース部２１が拡張する表紙高さ方向に沿った外側部（上端部及び下端部）に位置する。既に述べた通り、この筒状部２５１は、裏表紙１３に形成した挿通孔１６に挿通されて、表紙体１の内側に突き出す。
【００２４】
背部２２は、表紙高さ方向に拡張しており、その外寸がベース部２１及び押さえ部２３よりも拡大している。この背部２２とベース部２１との間には、ヒンジ２４を設けている。ヒンジ２４は、表紙高さ方向に沿って延伸する凹溝である。綴じ具２における、ヒンジ２４が存在する部分の厚みは、それ以外の部分（ベース部２１、背部２２及び押さえ部２３）の厚みよりも薄肉となる。このヒンジ２４により、背部２２及び押さえ部２３は、ベース部２１に対して、表紙高さ方向に沿って伸びる軸回りに回動することが可能となる。
【００２５】
本実施形態の綴じ具２の背部２２には、保持部２２１が付随している。保持部２２１は、背部２２から表紙幅方向に沿って外側方に張り出したブロック状をなすとともに、表紙高さ方向に沿って、換言すれば表紙体１の裏表紙１３の内側縁が伸びる方向に略平行に拡張している。なお、図６中、保持部２２１となる領域に網点（ハーフトーン）を付して表している。この保持部２２１は、背部２２及び押さえ部２３と一体となって、ヒンジ２４の軸回りに回動する。
【００２６】
押さえ部２３は、背部２２から一旦背幅方向即ちベース部２１及び裏表紙１３から離れてゆく方向に迫り上がり、その後湾曲してベース部２１及び裏表紙１３と略平行となるように延出している。押さえ部２３もまた、表紙高さ方向に拡張し、かつ表紙幅方向にも展伸した薄板状をなす。但し、ベース部２１と比較して、表紙幅方向に沿った外寸がより小さい。押さえ部２３における、ベース部２１及び裏表紙１３に対向する側の面からは、綴じ桿２５の要素となる軸部２５２が突出している。軸部２５２は、押さえ部２３が拡張する表紙高さ方向に沿った外側部（上端部及び下端部）に位置する。
【００２７】
綴じ具２を使用して紙葉類を綴じる際には、まず、押さえ部２３及び背部２２を回動操作して、図９に示すように、押さえ部２３をベース部２１及び裏表紙１３から引き離す。このとき、押さえ部２３から突出している軸部２５２が、ベース部２１から突出している筒状部２５１から抜出される。その状態で、予め紙葉類に穿ってある綴じ孔に筒状部２５１を挿通するようにして、紙葉類の内側縁部をベース部２１の上に重ねて配置する。しかる後、押さえ部２３及び背部２２を回動操作して、図７または図８に示すように、押さえ部２３がベース部２１に対向する姿勢とし、かつ軸部２５２を筒状部２５１の内に挿入する。結果、筒状部２５１及び軸部２５２が綴じ桿２５となって、紙葉類がベース部２１と押さえ部２３との間に綴じ止められる。
【００２８】
また、図７及び図８に示しているように、綴じ具２が紙葉類を綴じている状態、即ち押さえ部２３がベース部２１に対向する姿勢をとる状態では、保持部２２１とベース部２１とが裏表紙１３、特に貫通孔１５の周縁部を挟み付けて保持する。
【００２９】
表紙体１に取り付けた綴じ具２は、そのベース部２１が裏表紙１３の外表面に接合する一方で、その背部２２及び押さえ部２３が貫通孔１５を通過して裏表紙１３の内向面よりも内側に進入することとなる。貫通孔１５の内部には、綴じ具２におけるヒンジ１４及びその近傍の部位が入り込む。特に、図９に示すように表紙体１及び綴じ具２を開いている状態や、図７に示すように表紙体１及び綴じ具２を閉じている状態では、表紙体１の背表紙１２と綴じ具２の背部２２と略平行となるが、綴じ具２の背部２２が貫通孔１５に収容されることにより、表紙体１の背表紙１２と綴じ具２の背部２２とが干渉することが避けられる。
【００３０】
本実施形態では、表表紙１１、裏表紙１３並びにこれら表表紙１１及び裏表紙１３と接合する背表紙１２を有する表紙体１に、紙葉類を綴じ止めるための綴じ具２が取り付けられたファイルであって、前記背表紙１２と前記裏表紙１３との境界部位に、前記綴じ具２の所定部位（綴じ具２におけるヒンジ２４及び背部２２）を収容するための収容部（貫通孔１５）が形成されたファイルを構成した。
【００３１】
本実施形態によれば、綴じ具２をできる限り表紙体１の背表紙１２側に寄せて配置することができる。従って、綴じ具２に綴じ止めた紙葉類もまた背表紙１２に近づくことになり、表表紙１１及び裏表紙１３の表紙幅を徒に大きくとらずとも、綴じ具２に綴じた紙葉類の外側縁部が表表紙１１または裏表紙１３からはみ出すことが回避される。つまり、表表紙１１及び裏表紙１３の表紙幅をより縮小してファイル全体の寸法をコンパクト化できる。
【００３２】
また、綴じ具２のベース部２１を裏表紙１３の外表面側に露出させていることで、綴じ具２の押さえ部２３から裏表紙１３の内向面までの内寸をより大きく確保することができ、限られた背幅の内でより多くの枚数の紙葉類を綴じ具２に綴じることが可能となる。
【００３３】
並びに、本実施形態では、表紙体１における裏表紙１３側のヒンジ１４に跨って、またはこれに隣接して貫通する貫通孔１５が形成される一方、表表紙１１側のヒンジ１４の少なくとも一部に裏表紙１３側のヒンジ１４と比較して表紙体１の厚みをより薄くする薄肉部１４１が設けられている。これにより、裏表紙１３を背表紙１２に対して回動させる際の表紙体１の曲げこわさ（換言すれば、回動させるために必要な操作力）と、表表紙１１を背表紙１２に対して回動させる際の表紙体１の曲げこわさとが略均等となる。従って、裏表紙１３を開閉するときには柔らかいのに、表表紙１１を開閉するときには堅いというような違和感を使用者に与えることが回避される。
【００３４】
加えて、本実施形態では、綴じ具２が、ベース部２１と、ベース部２１に対向する押さえ部２３と、ベース部２１と押さえ部２３との間で両者が対向する方向に伸長する綴じ桿２５と、押さえ部２３に一体に成形されベース部２１と押さえ部２３とを対向させた状態でベース部２１とともに表紙体１（の裏表紙１３）を挟み付ける保持部２２１とを備えている。このため、綴じ具２が紙葉類を綴じている状態で、綴じ具２が表紙体１に対してがたつく、またはぐらつくことが抑制される。
【００３５】
さらに、前記保持部２２１が、前記表紙体１の側縁、換言すれば裏表紙１３における貫通孔１５の開口縁部（これは、保持部２２１とベース部２１とで挟み付ける対象の部位である）が伸びる方向に略平行に拡張しており、その保持部２２１が貫通孔１５の開口縁の略全長に亘って伸びているため、綴じ具２の保持部２２１及びベース部２１が表紙体１を広範囲で挟み安定的に保持することが可能となっている。
【００３６】
前記押さえ部２３及び前記保持部２２１が、ヒンジ２４を介して前記ベース部２１に対し相対的に回動可能に連結しており、保持部２２１を前記ヒンジ２４に近接した箇所に設けているため、綴じ具２を閉じたときにベース部２１及び保持部２２１により表紙体１を強く挟み付けることができる。
【００３７】
なお、本発明は以上に詳述した実施形態に限られるものではない。各部の具体的な構成は、本発明の趣旨を逸脱しない範囲で種々変形が可能である。
【符号の説明】
【００３８】
１…表紙体
１１…表表紙
１２…背表紙
１３…裏表紙
１４…ヒンジ
１４１…薄肉部
１５…収容部（貫通孔）
２…綴じ具
２１…ベース部
２２…背部
２２１…保持部
２３…押さえ部
２４…ヒンジ
２５…綴じ桿
３…ポケット
【図１】
2019034495.tif 000003
【図２】
2019034495.tif 000004
【図３】
2019034495.tif 000005
【図４】
2019034495.tif 000006
【図５】
2019034495.tif 000007
【図６】
2019034495.tif 000008
【図７】
2019034495.tif 000009
【図８】
2019034495.tif 000010
【図９】
2019034495.tif 000011